(57)【特許請求の範囲】
【請求項１】
全体の形状を細長い棒状に形成すると共に、後部に有する握り部(1)に電池(5)を内蔵する本体ケース(4)と、この本体ケース(4)から先端に向かって突出して機関部(K)とを備え、本体ケース(4)の内部には、絶縁プレート(8)と、使用状態を表示するパイロットランプ(P)を備える化粧具であって、以下の全ての構成を有することを特徴とする電池を内蔵する化粧具。
（ａ）  パイロットランプ(P)は、フィラメントを内蔵する細長いミニランプ(24)と、このミニランプ(24)の発光を本体ケース(4)の外部に導く透光性のランプホルダー(25)とを備える。
（ｂ）  ランプホルダー(25)は、細長いミニランプ(24)を両側から挟着して保持する一対の保持壁(25A)と、一対の保持壁(25A)を連結している底プレート(25B)と、保持壁(25A)に一体成形して設けられると共に、本体ケース(4)に設けている光窓(27)に挿入されるロッド状に形成してなる透光ロッド(26)とを備える。
（ｃ）  ランプホルダー(25)は、保持壁(25A)を本体ケース(4)の長手方向と平行な姿勢として絶縁プレート(8)に固定され、絶縁プレート(8)を介して本体ケース(4)に内蔵される。
（ｄ）  細長いミニランプ(24)は、本体ケース(4)の長手方向と平行な姿勢で一対の保持壁(25A)の間に配設されている。
（ｅ）  ミニランプ(24)は、保持壁(25A)に連結している透光ロッド(26)の近傍にフィラメントが位置するようにランプホルダー(25)に装着して、フィラメントの発光を透光ロッド(26)に導いている。
【請求項２】
絶縁プレート(8)がプリント基板で、プリント基板と機関部(K)とを連結しているリード線(15)が、ランプホルダー(25)を覆う位置に配設されて、リード線(15)がランプホルダー(25)のプリント基板からの外れを阻止するようにしてなる請求項１に記載の電池を内蔵する化粧具。
【請求項３】
絶縁プレート(8)の先端に、機関部(K)のケーシングであるケーシングプラスチック(14)を連結する連結孔(23)を設けており、この連結孔(23)にケーシングプラスチック(14)の凸部(22)を嵌入して、ケーシングプラスチック(14)を絶縁プレート(8)に連結している請求項１に記載の電池を内蔵する化粧具。
【請求項４】
機関部(K)がまつげを加熱する加熱部(2)である請求項１に記載の電池を内蔵する化粧具。
【請求項５】
本体ケース(4)の側面に光窓(27)を設けている請求項４に記載の電池を内蔵する化粧具。
【請求項６】
絶縁プレート(8)であるプリント基板に、電池(5)に接触される接点金属板(36)を固定し、かつ、絶縁プレート(8)を脱着できるように本体ケース(4)に装着してなる請求項１に記載の電池を内蔵する化粧具。
【請求項７】
機関部が、往復運動するシェーバーの刃を内蔵している請求項１に記載の電池を内蔵する化粧具。
【発明の詳細な説明】
【０００１】
【発明の属する技術分野】
本発明は、主として婦人用に使用される全体の形状を細長い形状としてなる化粧具に関し、たとえば、まつげを加熱してカールし、あるいは毛をカットするシェーバ等に使用される化粧具に関する。
【０００２】
【従来の技術】
電池を内蔵する化粧具は、使用状態を示すパイロットランプを備えている。とくに、まつげカーラーのように、電源スイッチをオンにした状態が明確にわかり難い化粧具は、電源のオンオフを明確にするためにパイロットランプが必須である。
【０００３】
ところで、まつげカーラーやシェーバー等の婦人用の化粧具は、全体の形状を細長い形状として、すっきりと美しい外観としている。この形状の化粧具は、細長い円筒状として、円筒型の電池を内蔵するにも好都合である。また、この形状の化粧具は、できる限りコンパクトにすると持ち運びも便利になる。ハンドバック等に入れて持ち運びできるからである。コンパクトな化粧具は、収納する電池を１本としている。この化粧具は、電源電圧が１．２〜１．５Ｖに制限される。ＤＣ／ＤＣコンバータを内蔵させて、電源電圧を昇圧することもできるが、そうすると回路が複雑で大きくなり、また全体が重くて高価になる欠点もある。このため、ほとんど例外なく１本の電池で駆動されるように設計される。１本の電池で点灯できるパイロットランプは、フィラメントを内蔵するミニランプである。コンパクトな化粧具は、パイロットランプとして発光ダイオードを使用したいのであるが、発光ダイオードの点灯電圧は約２Ｖであるために、１本の電池では点灯できない。
【０００４】
【発明が解決しようとする課題】
ミニランプは、ガラスにフィラメントを内蔵する構造のために、発光ダイオードのように小さくするのが難しい。このため、全体の形状を細長い棒状としている化粧具に内蔵するのが難しい。ミニランプの発光を正確にケースの外部に導くのが難しいからである。
【０００５】
本発明は、この欠点を解決することを目的に開発されたもので、本発明の重要な目的は、簡単かつ容易にパイロットランプを定位置に配設して、しかもパイロットランプの発光を正確にケースの外部に導くことができる電池を内蔵する化粧具を提供することにある。
【０００６】
【課題を解決するための手段】
本発明の電池を内蔵する化粧具は、全体の形状を細長い棒状に形成すると共に、後部に有する握り部１に電池５を内蔵する本体ケース４と、この本体ケース４から先端に向かって突出する機関部Ｋとを備える。本体ケース４の内部には、絶縁プレート８と、使用状態を表示するパイロットランプＰを備える。さらに、電池を内蔵する化粧具は、以下の全ての構成を有することを特徴とする。
（ａ）  パイロットランプＰは、フィラメントを内蔵する細長いミニランプ２４と、このミニランプ２４の発光を本体ケース４の外部に導く透光性のランプホルダー２５とを備える。
（ｂ）  ランプホルダー２５は、細長いミニランプ２４を両側から挟着して保持する一対の保持壁２５Ａと、一対の保持壁２５Ａを連結している底プレート２５Ｂと、保持壁２５Ａに一体成形して設けられると共に、本体ケース４に設けている光窓２７に挿入されるロッド状に形成してなる透光ロッド２６とを備える。
（ｃ）  ランプホルダー２５は、保持壁２５Ａを本体ケース４の長手方向と平行な姿勢として絶縁プレート８に固定され、絶縁プレート８を介して本体ケース４に内蔵される。
（ｄ）  細長いミニランプ２４は、本体ケース４の長手方向と平行な姿勢で一対の保持壁２５Ａの間に配設されている。
（ｅ）  ミニランプ２４は、保持壁２５Ａに連結している透光ロッド２６の近傍にフィラメントが位置するようにランプホルダー２５に装着して、フィラメントの発光を透光ロッド２６に導いている。
【０００７】
さらに、本発明の電池を内蔵する化粧具は、好ましくは、絶縁プレート８をプリント基板とし、プリント基板と機関部Ｋとを連結しているリード線１５を、ランプホルダー２５を覆う位置に配設する。このリード線１５は、ランプホルダー２５がプリント基板から外れるのを阻止する。
【０００８】
さらに、本発明の電池を内蔵する化粧具は、好ましくは、絶縁プレート８の先端に、機関部Ｋのケーシングであるケーシングプラスチック１４を連結する連結孔２３を設ける。この連結孔２３にケーシングプラスチック１４の凸部２２を嵌入して、ケーシングプラスチック１４を絶縁プレート８に連結する。
【０００９】
さらに、本発明の電池を内蔵する化粧具は、機関部Ｋを、まつげを加熱する加熱部２とし、好ましくは、本体ケース４の側面に光窓２７を設ける。
【００１０】
さらに、本発明の電池を内蔵する化粧具は、好ましくは、絶縁プレート８であるプリント基板に、電池５に接触される接点金属板３６を固定し、かつ、絶縁プレート８を脱着できるように本体ケース４に装着する。
【００１１】
さらに、本発明の電池を内蔵する化粧具は、機関部Ｋに、往復運動するシェーバーの刃を内蔵する。
【００１２】
【発明の実施の形態】
以下、本発明の実施例を図面に基づいて説明する。ただし、以下に示す実施例は、本発明の技術思想を具体化するための電池を内蔵する化粧具を例示するものであって、本発明は電池を内蔵する化粧具を以下のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図１ないし図５に示す電池を内蔵する化粧具は、全体の形状を細長い棒状に形成している。化粧具は、後部の握り部１に電池を内蔵する本体ケース４と、この本体ケース４から先端に向かって突出する機関部Ｋとを備える。
【００１５】
本体ケース４は、細長い円筒状のケースで、後部を握り部１としている。本体ケース４は、外ケース４Ｂと、この外ケース４Ｂに挿入している内ケース４Ａからなる。内ケース４Ａはプラスチック製で、外ケース４Ｂは、アルミニウムやステンレス等の、底を閉塞している薄い金属円筒である。
【００１６】
内ケース４Ａは、下ケース４ｂと、この下ケース４ｂ上面の開口部を閉塞する上ケース４ａとからなる。下ケース４ｂは、図６の分解斜視図に示すように、後端部に、電池５を脱着自在に収納する電池室６を設けている。電池室６は、一本の単４電池を装着できる大きさとしている。ただ、電池室は、単４電池以外の電池を内蔵できる構造とすることもできる。
【００１７】
さらに、内ケース１Ａは、先端部の内部に、絶縁プレート８と、化粧具の使用状態を表示するパイロットランプＰを備える。内ケース１Ａは、下ケース４ｂの先端部を上ケース４ａで閉塞して回路室７としており、この回路室７に、絶縁プレート８と、パイロットランプＰとを配設している。
【００１８】
絶縁プレート８は、絶縁性を有する板材で、回路室７の内部に脱着できるように装着している。絶縁プレート８には、パイロットランプＰを連結している。絶縁プレート８は、回路室７内の所定の位置に装着されて、パイロットランプＰを定位置に配設している。図に示す絶縁プレート８には、プリント基板を使用している。絶縁プレート８をプリント基板とする化粧具は、電池５から機関部ＫやパイロットランプＰへの配線をスムーズにできる特長がある。ただ、本発明の化粧具は、絶縁プレートにプリント基板を使用せず、全ての配線をリード線やリード板で行うこともできる。
【００１９】
パイロットランプＰは、フィラメントを内蔵する細長いミニランプ２４と、このミニランプ２４の発光を本体ケース４の外部に導く透光性のランプホルダー２５とを備える。ミニランプ２４は、細長く成形されたガラス管の内部にフィラメントを有するランプで、一本の電池で発光できるものを使用している。
【００２０】
ランプホルダー２５は、細長いミニランプ２４を両側から挟着して保持する一対の保持壁２５Ａと、一対の保持壁２５Ａを連結している底プレート２５Ｂとを備える。ランプホルダー２５は、保持壁２５Ａと底プレート２５Ｂとで断面形状をコ字状に成形しており、一対の保持壁５Ａの間に、細長いミニランプ２４を挟着して保持している。ランプホルダー２５は、透明または半透明で、プラスチックやアクリル、ガラス等の透光性を有する部材で成形されている。
【００２１】
ランプホルダー２５は、保持壁２５Ａを本体ケース４の長手方向と平行な姿勢として絶縁プレート８に固定し、絶縁プレート８を介して本体ケース４の内部に配設している。ランプホルダー２５は、図４と図７の断面図に示すように、底プレート２５Ｂの下面から突出する凸部４１を有し、この凸部４１を絶縁ホルダー８に開口した連結孔４２に嵌入して、絶縁ホルダー８の所定の位置に正しい姿勢で連結している。細長いミニランプ２４は、一対の保持壁２５Ａの間に位置して、本体ケース４の長手方向と平行な姿勢で配設されている。
【００２２】
さらに、ランプホルダー２５は、保持壁２５から外側に突出して、本体ケース４に設けた光窓２７に挿入される透光ロッド２６を備える。透光ロッド２６は、保持壁２５Ａに一体成形して設けられており、ロッド状に成形されている。透光ロッド２６は、ミニランプ２４からの光を、内部に透過させてケース外に導く。したがって、ミニランプ２４は、保持壁２５Ａに連結している透光ロッド２６の近傍にフィラメントが位置するようにランプホルダー２５に装着して、フィラメントの発光を透光ロッド２６に導いている。本体ケース４は、下ケース４ｂに、この透光ロッド２６を挿入する貫通孔である光窓２７を開口している。
【００２３】
さらに、内ケース４Ａは、先端を細く成形しており、この先端部分に、機関部Ｋのケーシングプラスチック１４を連結している。内ケース４は、先端を開口すると共に、先端部の内側にケーシングプラスチック１４を装着する嵌着凹部１９を成形している。ケーシングプラスチック１４は、後端から突出して嵌着凸部２０を一体成形している。嵌着凸部２０を嵌着凹部１９に挿入して、ケーシングプラスチック１４は内ケース４Ａの所定の位置に連結される。この状態で、機関部Ｋが本体ケース４に連結される。
【００２４】
さらに、ケーシングプラスチック１４は、嵌着凸部２０から握り部１の軸方向に延長して中央壁２１を一体成形すると共に、この中央壁２１の先端の下端面から突出して凸部２２を設けている。ケーシングプラスチック１４は、この凸部２２を、絶縁プレート８の先端に開口した連結孔２３に嵌入して、ケーシングプラスチック１４を絶縁プレート８に連結している。
【００２５】
さらに、プリント基板である絶縁プレート８は、電池５から供給される電力をリード線１５を介して機関部Ｋに供給している。プリント基板は、機関部Ｋを駆動する抵抗とパイロットランプＰのミニランプ２４とを並列に接続している。機関部Ｋに接続されるリード線１５は、図４と図５に示すように、ランプホルダー２５の上面を覆う位置に配設している。この位置に配設されるリード線１５は、ランプホルダー２５がプリント基板から外れるのを有効に阻止できる。
【００２６】
内ケース４Ａは、下ケース４ｂと上ケース４ａの先端部分を除くほぼ全体を円筒形状として、円筒状の外ケース４Ｂに隙間なく挿入できる形状としている。内ケース４Ａは、電池室６の全体と、上ケース４ａで閉塞されている回路室７の一部を外ケース４Ｂに挿入して、電池室６の脱着開口を閉塞する。回路室７の一部は、上ケース４ａと外ケース４Ｂで二重に閉塞される。電池室６の脱着開口は、外ケース４Ｂのみで閉塞される。
【００２７】
下ケース４ｂの電池室６は、外ケース４Ｂに挿入して脱着開口を閉塞するので、底面を二重構造としている。この二重構造を利用して、延長リード板２８を下ケース４ｂの外側に固定している。延長リード板２８は、下ケース４ｂと外ケース４Ｂの間に配線される。延長リード板２８は、図６に示すように、後端を上方に折曲して、下ケース４ｂを外側から内側に貫通させて、電池５の後端極に接触させる。延長リード板２８の先端は、図６に示すように、コ字状に切断されて、下ケース４ｂを外側から内側に貫通して突出する。この突出部は、下ケース４ｂの内面に沿って、スライドスイッチ２９の接点に併用される。
【００２８】
スライドスイッチ２９は、機関部ＫとパイロットランプＰへの電力の供給を制御する。スライドスイッチ２９は、下ケース４ｂの外側に摺動できるように装着されるスイッチツマミ２９Ａと、このスイッチツマミ２９Ａに連結されて一緒に往復運動するスイッチ板２９Ｂと、スイッチ板２９Ｂに連結される摺動子２９Ｃとからなる。スイッチツマミ２９Ａは、縦リブ３０を下ケース４ｂのスリット３１に貫通させて、スイッチ板２９Ｂに連結している。スイッチ板２９Ｂは節度のある状態で往復運動できるように、先端にフック３２を一体成形している。フック３２は、下ケース４ｂに一体成形された凸部３３を越えて往復運動して節度出しをする。摺動子２９Ｃは、スイッチ板２９Ｂに連結されてスイッチ板２９Ｂと一緒に往復運動し、二股に分岐された先端を下方に突出させている。摺動子２９Ｃは、ぞれぞれの分岐路先端の突出部が、延長リード板２８と中間リード板３４の両方に接触して、スライドスイッチ２９をオン状態とする。
【００２９】
下ケース４ｂは、電池室６と回路室７の境界に隔壁３５を有し、隔壁３５に接点金属板３６を装着している。接点金属板３６は、後端をプリント基板に接続すると共に、先端を電池５の出力端子に弾性的に接触させている。図に示す化粧具は、電池５の−側端子を接点金属板３６を介してプリント基板に接続し、電池５の＋側端子を、延長リード板２８とスライドスイッチ２９と中間リード板３４を介してプリント基板に接続している。
【００３０】
スライドスイッチ２９がオンとなると、電池５の電力が機関部ＫとパイロットランプＰに通電される。このとき、機関部Ｋは、電池５に駆動されて使用状態となる。また、ミニランプ２４は発光して、機関部Ｋが通電状態にあることを、ランプホルダー２５の透光ロッド２６を介して光窓２７からケース外に表示する。図２に示す化粧具は、パイロットランプＰの発光を認識しやすいように、光窓２７を、本体ケース４の側面であって、スライドスイッチ２９の上部に隣接して設けている。
【００３１】
外ケース４Ｂは、スイッチツマミ２９Ａを案内する切欠部３７を開口部に設けている。下ケース４ｂは、スイッチツマミ２９Ａをこの切欠部３７に案内して、外ケース４Ｂの定位置に連結される。
【００３２】
機関部Ｋは、本体ケース４の先端から突出して配設されている。機関部は、化粧具の種類に応じて、その機能を種々に変更することができる。図に示す化粧具は、機関部Ｋに加熱部２を備えるまつげカーラーである。
【００３３】
加熱部２は、電池５で加熱されるヒータ９を内蔵している。ヒータ９は、通電されると発熱する電熱線で、ニクロム線を使用している。ヒータ９に使用するニクロム線は、電池５の電力で速やかに加熱するが、発生する熱によってヒータ９近傍のプラスチック等の部材を溶融することのない温度に発熱するように最適な抵抗値のものを使用する。図に示すヒータ９は、ニクロム線を絶縁ロッド１０にコイル状に巻き付けており、この絶縁ロッド１０をＵ曲して、加熱部２の内部に設けたＵ字溝内に配設している。
【００３４】
さらに、加熱部２は、まつげをカールする側の面を開口して、ヒータ表出面１１としている。ヒータ表出面１１は、ヒータ９を外部に表出させている。加熱部２は、このヒータ表出面１１でまつげを加熱してカールする。図に示す加熱部２は、ヒータ表出面１１を、中央凹に湾曲して湾曲面としている。この形状のヒータ表出面１１は、まつげをカールするときに、湾曲面をまぶたに沿わせて便利に使用できる特長がある。
【００３５】
ヒータ表出面１１は、開口部の前面に複数の平行リブ１３を設けている。複数の平行リブ１３は、まつげをカールする方向、すなわち、握り部１の軸方向と垂直な方向に延長して等間隔に設けている。開口部に配設される平行リブ１３は、図８に示すように、ヒータ表出面１１よりも外側にヒータ９が突出するのを確実に阻止している。さらに、平行リブ１３は、先端縁を湾曲しており、肌を傷つけることなく、隣接する平行リブ１３の間にまつげを滑らかに案内できる構造としている。
【００３６】
さらに、機関部Ｋは、後端部に、加熱部２を本体ケース４に連結する中間連結部３を備える。中間連結部３は、ヒータ表出面１１側を、弓形に湾曲してなる凹部湾曲面１２としている。凹部湾曲面１２の底部は、加熱部２のヒータ表出面１１よりも後退するように、いいかえると、ヒータ表出面１１を凹部湾曲面１２の底部よりも突出させる位置に配設している。
【００３７】
まつげカーラーである化粧具は、図５に示すように、加熱部２と中間連結部３と本体ケース４が、ヒータ表出面１１の反対側面をほぼ同一平面としている。さらに、握り部１から加熱部２の先端に向かって、大きな曲率半径でヒータ表出面１１側に湾曲させている。
【００３８】
図に示す機関部Ｋは、加熱部２と中間連結部３とを、ケーシングプラスチック１４で一体成形している。ケーシングプラスチック１４は、本体ケース４よりも細く成形している。ケーシングプラスチック１４は、ヒータ表出面１１と凹部湾曲面１２とを前面に有する前面ケース１４Ａと、前面ケース１４Ａの背面を閉塞する背面ケース１４Ｂとからなる。前面ケース１４Ａと背面ケース１４Ｂは、図９の拡大断面図で示すように、係止構造で連結している。前面ケース１４Ａは、先端縁に突出する爪１４ａを有し、この爪１４ａを背面ケース１４Ｂの先端部の引掛凹部１４ｂに挿入している。さらに、前面ケース１４Ａと背面ケース１４Ｂは、加熱部２の近傍で、係止爪１４ｃを嵌合部１４ｄに嵌合させて、また中間連結部３の近傍で、係止部１４ｅに係止フック１４ｆを係止して連結している。
【００３９】
前面ケース１４Ａは、図８に示すように、内部にＵ字溝１６を有する。このＵ字溝１６に、Ｕ曲されたヒータ９を装着して所定の位置に配設している。さらに、前面ケース１４Ａ内に配設されたヒータ９は、両端をリード線１５に接続しており、リード線１５を介して回路室７内に配設されたプリント基板に接続している。
【００４０】
背面ケース１４Ｂは、ヒータ９を所定の位置に配設する複数の位置決リブ１４ｇを内側に一体成形している。これ等の位置決リブ１４ｇは、ヒータ９をヒータ表出面１１の方向に押圧して、ヒータ９をヒータ表出面１１の所定の位置に保持している。
【００４１】
さらに、背面ケース１４Ｂは、ヒータ９の背面に位置して、ヒータ９の温度を検出するサーモラベル１７を配設している。サーモラベル１７は、嵌合部１４ｄを配設する位置に設けられた貫通孔１８に位置して配設している。貫通孔１８に配設されるサーモラベル１７は、ケーシングを介することなく直接にヒータ９の熱で加熱されるので、温度を正確に検出して表示できる特長がある。
【００４２】
以上の構造の前面ケース１４Ａと背面ケース１４Ｂは、ヒータ９を所定の位置に内蔵した状態で係合させて、細長い筒状のケーシングプラスチック１４となる。ケーシングプラスチック１４は、後端の嵌着凸部２０を、内ケース４Ａの先端部の嵌着凹部１９に嵌入して、本体ケース４に連結している。
【００４３】
さらに、図１ないし図３に示す電池を内蔵する化粧具は、機関部Ｋを被覆して、本体ケース４に脱着自在に装着できるキャップ３８を備える。キャップ３８は、本体ケース４の外径に等しい円筒状に成形している。キャップ３８は、底を閉塞している薄い金属円筒で、外ケース４Ｂと同じ材質であるアルミニウムやステンレス等で成形される。
【００４４】
さらに、図３に示すキャップ３８は、外ケース４Ｂの先端に装着されて機関部Ｋを収納した状態で、ケーシングプラスチック１４に係止できるように、内面に脱着凸部３９を有する。ケーシングプラスチック１４は、先端部の両側に脱着凹部４０を成形している。キャップ３８の脱着凸部３９は、ケーシングプラスチック１４の脱着凹部４０に対向して成形されている。この構造のキャップ３８は、ケーシングプラスチック１４の脱着凹部４０に脱着凸部３９を係止させて、脱着自在に、しかも、確実に装着して、機関部Ｋを収納できる。
【００４５】
以上の実施例の化粧具は、機関部Ｋを、まつげを加熱する加熱部２としている。ただ、本発明の電池を内蔵する化粧具は、機関部を加熱部に特定しない。機関部は、図示しないが、往復運動する刃を内蔵するシェーバーとすることも、あるいは、往復運動する研磨プレートを有する爪磨き器とすることもできる。機関部をシェーバーや爪磨き器とする化粧具は、機関部のケーシングプラスチックに刃や研磨プレートを配設し、本体ケースの内部にモーターを内蔵させて、このモーターの回転力を往復運動に変換して刃や研磨プレートを駆動することができる。
【００４６】
【発明の効果】
本発明の電池を内蔵する化粧具は、簡単かつ容易にパイロットランプを定位置に配設して、しかもパイロットランプの発光を正確にケースの外部に導くことができる特長がある。それは、本発明の電池を内蔵する化粧具が、本体ケースの内部に、フィラメントを内蔵する細長いミニランプと、このミニランプの発光を本体ケースの外部に導く透光性のランプホルダーとを備え、このランプホルダーを独特の構造としているからである。
【００４７】
このランプホルダーは、一対の保持壁で細長いミニランプを両側から挟着して保持すると共に、本体ケースに設けた光窓に挿入される透光ロッドを保持壁に一体成形して設けて、さらに、透光ロッドの近傍にフィラメントが位置するようにミニランプを装着している。さらに、ランプホルダーは、保持壁を本体ケースの長手方向と平行な姿勢として絶縁プレートを介して本体ケースに内蔵すると共に、細長いミニランプを、本体ケースの長手方向と平行な姿勢で一対の保持壁の間に配設している。したがって、このランプホルダーは、ミニランプを定位置に配設して、しかも、ミニランプの発光を透光ロッドに透過させて、正確にケースの外部に導くことができる。
【００４８】
このように、細長いミニランプを内蔵して、しかも、確実にミニランプの発光をケースの外部に導くことができる本発明の化粧具は、全体の形状を細長い棒状に形成して、全体の外観を極めてすっきりと美しいデザインにできると共に、機関部の使用状態を確実にパイロットランプでケース外に表示して極めて便利に使用できる特長が実現できる。
【００４９】
さらに、本発明の電池を内蔵する化粧具は、絶縁プレートをプリント基板とし、プリント基板と機関部とを連結するリード線を、ランプホルダーを覆う位置に配設することによって、ランプホルダーがプリント基板から外れるのをリード線で有効に阻止できる。この化粧具は、パイロットランプを、より確実に定位置に保持できるので、安心して使用できる特長が実現できる。
【００５０】
さらに、本発明の電池を内蔵する化粧具は、絶縁プレートの先端に、機関部のケーシングプラスチックを連結する連結孔を設けて、この連結孔にケーシングプラスチックの凸部を嵌入して、ケーシングプラスチックを絶縁プレートに連結することによって、機関部のケーシングであるケーシングプラスチックを絶縁プレートに一体的に連結して、効率良く組み立てできる。
【００５１】
さらに、本発明の電池を内蔵する化粧具は、まつげを加熱する加熱部を機関部として、極めて便利に使用できる。それは、加熱部を有する化粧具は、通電状態が認識し難いからである。さらに、この化粧具は、本体ケースの側面に光窓を設けることによって、加熱部の使用状態を、より認識しやすくして便利に使用できる。
【００５２】
さらに、本発明の電池を内蔵する化粧具は、絶縁プレートであるプリント基板に、電池に接触される接点金属板を固定し、かつ、絶縁プレートを脱着できるように本体ケースに装着することによって、製造工程における組み立て性を向上できる特長がある。接点金属板が固定されたプリント基板を、一つのパーツとして本体ケースに簡単に装着できるからである。
【図面の簡単な説明】
【図１】本発明の実施例の電池を内蔵する化粧具の正面図
【図２】図１に示す電池を内蔵する化粧具の側面図
【図３】図１に示す電池を内蔵する化粧具の背面図
【図４】図１に示す電池を内蔵する化粧具の断面側面図
【図５】図１に示す電池を内蔵する化粧具の断面正面図
【図６】図１に示す電池を内蔵する化粧具の分解斜視図
【図７】図１に示す電池を内蔵する化粧具の本体ケースの要部拡大横断面図
【図８】図１に示す電池を内蔵する化粧具の加熱部の拡大横断面図
【図９】図４に示す電池を内蔵する化粧具の加熱部の拡大断面図
【符号の説明】
１…握り部
２…加熱部
３…中間連結部
４…本体ケース            ４Ａ…内ケース            ４Ｂ…外ケース
４ａ…上ケース            ４ｂ…下ケース
５…電池
６…電池室
７…回路室
８…絶縁プレート
９…ヒータ
１０…絶縁ロッド
１１…ヒータ表出面
１２…凹部湾曲面
１３…平行リブ
１４…ケーシングプラスチック
１４Ａ…前面ケース          １４Ｂ…背面ケース
１４ａ…爪                  １４ｂ…引掛凹部          １４ｃ…係止爪
１４ｄ…嵌合部              １４ｅ…係止部            １４ｆ…係止フック
１４ｇ…位置決リブ
１５…リード線
１６…Ｕ字溝
１７…サーモラベル
１８…貫通孔
１９…嵌着凹部
２０…嵌着凸部
２１…中央壁
２２…凸部
２３…連結孔
２４…ミニランプ
２５…ランプホルダー      ２５Ａ…保持壁            ２５Ｂ…底プレート
２６…透光ロッド
２７…光窓
２８…延長リード板
２９…スライドスイッチ    ２９Ａ…スイッチツマミ    ２９Ｂ…スイッチ板
２９Ｃ…摺動子
３０…縦リブ
３１…スリット
３２…フック
３３…凸部
３４…中間リード板
３５…隔壁
３６…接点金属板
３７…切欠部
３８…キャップ
３９…脱着凸部
４０…脱着凹部
４１…凸部
４２…連結孔
Ｋ…機関部
Ｐ…パイロットランプ
【図１】
0003813395.tif 000002
【図２】
0003813395.tif 000003
【図３】
0003813395.tif 000004
【図４】
0003813395.tif 000005
【図５】
0003813395.tif 000006
【図６】
0003813395.tif 000007
【図７】
0003813395.tif 000008
【図８】
0003813395.tif 000009
【図９】
0003813395.tif 000010